(57)【要約】【課題】必要時に必要な広告を自在に行える交換用トイレットペーパーを提供する。【解決手段】複数個のトイレットペーパー本体１２を纏めて梱包するパッケージ１４の外側に、広告配布物１６を収納した広告収納袋１８を貼り付けてなる。広告収納袋１８は、トイレットペーパー本体１２の個数に相当する量の広告配布物１６を収納したものである。広告収納袋１８は、プラスチックにより密閉可能に構成され、被交換物（古新聞、古雑誌、その他の不用品等を含む。）の量に応じてトイレットペーパー本体１２の個数と広告配布物１６とを臨機応変に対応交換できる。広告配布物１６を既存のパッケージ１４にも貼り付けることができるので、予めパッケージ１４に広告内容を印刷しておく必要がない。【選択図】図１
0003138656.tif 000002
【実用新案登録請求の範囲】
【請求項１】
複数個のトイレットペーパー本体を纏めて梱包するパッケージの外側に、広告配布物を収納した広告収納袋を貼り付けたことを特徴とする交換用トイレットペーパー。
【請求項２】
複数個の前記トイレットペーパー本体を２個ずつ並べ、かつ２列以上に積み重ね、これらを１つのパッケージで包装し、パッケージの側面に広告配布物を収納した広告収納袋を貼り付けたことを特徴とする交換用トイレットペーパー。
【請求項３】
複数個の前記トイレットペーパー本体を４個ずつ並べ、かつ２列以上に積み重ね、これらを１つのパッケージで包装し、パッケージの側面に広告配布物を収納した広告収納袋を貼り付けたことを特徴とする交換用トイレットペーパー。
【請求項４】
請求項１乃至３のいずれかに記載の交換用トイレットペーパーにおいて、
前記広告収納袋は透明なプラスチックにより密閉可能に構成したものであることを特徴とする交換用トイレットペーパー。
【請求項５】
請求項１乃至４のいずれかに記載の交換用トイレットペーパーにおいて、
前記広告収納袋は部分的に着色したものであることを特徴とする交換用トイレットペーパー。
【考案の詳細な説明】
【技術分野】
【０００１】
本考案は、広告配布物を効率よく提供できる交換用トイレットペーパーに関する。
【背景技術】
【０００２】
従来、顧客となってもらう主婦等の渡し先において古新聞古雑誌等と交換させ、住宅、自動車、家電メーカーおよび量販店用の所謂キャンペーン広告活動を行なうための景品として配布されるトイレットペーパー本体に自社名、商品名、注文方式、住所、電話番号等の宣伝広告を印刷する印刷部を設ける。あるいは、トイレットペーパーを梱包するラップに宣伝広告を印刷する印刷部を設ける。広告経費の圧縮削減と、社名商品名の短期間内の告知徹底と、エコロジー運動効果を向上させ、リサイクル社会活動の能率アップを図るキャンペーン広告手段を提供するものがある（特許文献１参照）。
【特許文献１】登録実用新案第３０２８１０３号公報
【考案の開示】
【考案が解決しようとする課題】
【０００３】
既知の従来の技術には、次のような解決すべき課題があった。上記の広告手段は、トイレットペーパー本体やトイレットペーパー本体を梱包するラップに広告配布物を予め印刷を施してあるので、状況に応じて直ちに広告内容を変更したり追加することの自由度が小さい。
本考案は上記の課題を解決するためになされたもので、必要時に必要な広告を自在に行える交換用トイレットペーパーを提供することを目的とする。
【課題を解決するための手段】
【０００４】
以下の構成はそれぞれ上記の課題を解決するための手段である。
〈構成１〉
複数個のトイレットペーパー本体を纏めて梱包するパッケージの外側に、広告配布物を収納した広告収納袋を貼り付けたことを特徴とする交換用トイレットペーパー。
【０００５】
広告配布物を既存のパッケージにも貼り付けることができるので、予めパッケージに広告内容を印刷しておく必要がない。広告料が入るので、通常の交換比率より多いトイレットペーパー本体、例えば、通常２個程度のところ４個程度と多めのトイレットペーパー本体を、被交換物（古新聞、古雑誌、その他の不用品等を含む。）と交換できる。交換比率が高まるので、利用者、すなわち被交換物を出した人から好感触が得られる。被交換物との交換現場あるいはその近辺においても広告収納袋を簡単に貼り付けることができる。広告収納袋には広告印刷物の他に適当な景品も収納することができる。
【０００６】
〈構成２〉
複数個の上記トイレットペーパー本体を２個ずつ並べ、かつ２列以上に積み重ね、これらを１つのパッケージで包装し、パッケージの側面に広告配布物を収納した広告収納袋を貼り付けたことを特徴とする交換用トイレットペーパー。
【０００７】
広告収納袋の大きさや広告料と交換比率とを考慮すると、４個のトイレットペーパー本体を２個ずつ並べ、かつ２列に積み重ねたものが程好い量と大きさである。
【０００８】
〈構成３〉
複数個の上記トイレットペーパー本体を４個ずつ並べ、かつ２列以上に積み重ね、これらを１つのパッケージで包装し、パッケージの側面に広告配布物を収納した広告収納袋を貼り付けたことを特徴とする交換用トイレットペーパー。
【０００９】
トイレットペーパー本体を４個ずつ並べ、かつ２列以上に積み重ねた場合は、周囲の４つの側面に広告収納袋を貼り付けることができる。
被交換物の量に応じてトイレットペーパー本体の個数と広告配布物とを臨機応変に対応交換できる。予め所定量の広告配布物を広告収納袋に収納しておくと換算作業が容易である。
【００１０】
〈構成４〉
構成１乃至３のいずれかに記載の交換用トイレットペーパーにおいて、上記広告収納袋は透明なプラスチックにより密閉可能に構成したものであることを特徴とする交換用トイレットペーパー。
【００１１】
広告収納袋が透明であることにより、広告配布物が正しく収納されているかどうかが外部から一目瞭然であり、交換ミスを防止できる。広告収納袋が密閉可能に構成されていることにより、雨ざらしにされるパッケージに貼り付けられても広告配布物を雨や汚れから保護する。
【００１２】
〈構成５〉
構成１乃至４のいずれかに記載の交換用トイレットペーパーにおいて、上記広告収納袋は部分的に着色したものであることを特徴とする交換用トイレットペーパー。
【００１３】
着色した広告収納袋は目立つのでパッケージに貼り付けられているかどうかの確認が容易であり、また良好な広告宣伝効果を奏する。
【考案を実施するための最良の形態】
【００１４】
以下、本考案の実施の形態を実施例毎に詳細に説明する。
【実施例１】
【００１５】
図１は実施例１の交換用トイレットペーパー１０を示す斜視図である。
この交換用トイレットペーパー１０は、図示したように、４個のロール状のトイレットペーパー本体１２を２個ずつ並べ、かつ上方向に２列に積み重ね、これらを１つのパッケージ１４で包装し、パッケージ１４の幅広の側面に広告配布物１６を収納した広告収納袋１８を貼り付けたものである。
【００１６】
広告配布物１６は、広告主より内容に応じた広告料を得て作成されるものである。あるいは、広告主から印刷された広告物の提供を受け、同時に広告料を受取る。この広告料により、古新聞等の被交換物と交換するトイレットペーパー本体の個数を多くできる。例えば、通常１〜２個のところを３〜４個と増やすことができる。交換比率が高まるので、利用者、すなわち被交換物を出した人から好感触が得られる。
【００１７】
４個のトイレットペーパー本体１２を２個ずつ並べ、かつ２列に積み重ねた場合は、周囲に、広告収納袋１８を貼り付けられる面積を備えた２つの幅広の側面ができる。これらの２つの幅広の側面に広告収納袋１８をそれぞれ貼り付けることができる。図には１つの幅広の側面のみを示している。広告収納袋の大きさや広告料と交換比率とを考慮すると、トイレットペーパー本体が４個が程好い個数であり、かつ４個のトイレットペーパー本体を２個ずつ並べ、かつ２列に積み重ねることにより成る側面の大きさが程好い面積である。
【００１８】
広告収納袋１８は透明な周知のプラスチックにより密閉可能に構成されている。広告収納袋１８が透明であることにより、広告配布物１６が正しく収納されているかどうかを外部から容易にチェックできる。また、広告収納袋１８が密閉可能に構成されていることにより、雨ざらしにされるパッケージ１４に貼り付けられても広告配布物１６を雨や汚れから保護できる。
【実施例２】
【００１９】
図２は実施例２の交換用トイレットペーパー２０を示す斜視図であり、図１と同一部分には同一符号を付している。
この交換用トイレットペーパー２０は、図示したように、８個のトイレットペーパー本体を４個ずつ並べ、かつ上方向に２列に積み重ね、これらを１つのパッケージ１４で包装し、パッケージ１４の側面に広告配布物１６を収納した広告収納袋１８を貼り付けたものである。
【００２０】
８個のトイレットペーパー本体１２を４個ずつ並べ、かつ２列に積み重ねた場合は、周囲に、広告収納袋１８を貼り付けられる面積を備えた４つの幅広の側面ができる。これらの４つの幅広の側面に広告収納袋１８をそれぞれ貼り付けることができる。図示しないが、１２個のトイレットペーパー本体１２を４個ずつ並べ、かつ３列に積み重ねた場合も、その４つの幅広な側面にそれぞれ広告収納袋１８を貼り付けることができる。
【００２１】
このように本考案においては、複数個のトイレットペーパー本体１２を２個ずつ、あるいは４個ずつ並べ、これらを上方向に２列以上に積み重ね、さらに、これらを纏めて１つのパッケージ１４により梱包している。パッケージ１４は、プラスチック製の袋あるいはシートからなり、整列された複数個のトイレットペーパー本体１２を形を崩さずに包装する。実施例で示したパッケージ１４は、内部が見える透明材質であるが、本考案では不透明材質のものでも構わない。広告配布物１６として、広告印刷紙だけでなく他に適当な景品を付属してもよい。
【００２２】
広告収納袋１８は、プラスチックにより上部が開口した袋体に構成され、裏面にパッケージ１４に接着可能な接着剤が適当量塗布されている。広告収納袋１８は、トイレットペーパー本体１２の個数に相当する量の広告配布物１６を収納できる大きさとされている。広告収納袋１８は、透明あるいは半透明でもよいが、透明なプラスチックで構成することにより、広告配布物１６が正しく収納されているかどうかが外部から一目瞭然であり、交換ミスを防止できる。
【００２３】
広告収納袋１８は部分的に着色してもよい。着色することにより、広告収納袋１８が目立つようになり、パッケージ１４に貼り付けられているかどうかの確認が容易であり、また広告宣伝効果に役立つ。また、広告収納袋１８は、上部開口部が密閉可能に構成されることにより、屋外で雨ざらしにされるパッケージ１４に貼り付けられても広告配布物１６を雨や汚れから保護する。
【００２４】
交換用トイレットペーパー１０を構成する際に広告主から印刷された広告印刷物の提供を受け、同時に広告料を受取る。この広告印刷物を広告配布物１６としてそのまま使用することにより、低コストで交換用トイレットペーパー１０を構成できる。
【００２５】
交換用トイレットペーパー１０は、現地において古新聞古雑誌等の被交換物と交換される。このとき、広告活動を行なうためのものとして広告配布物を収納した広告収納袋１８を一緒に配布できる。予めパッケージ１４に広告内容を印刷しておく必要がなく広告収納袋１８を貼り付けるだけでよい。広告料が入るので、通常の交換比率より個数の多いトイレットペーパー本体１２を被交換物と交換できる。
【図面の簡単な説明】
【００２６】
【図１】実施例１の交換用トイレットペーパーを示す斜視図である。
【図２】実施例２の交換用トイレットペーパーを示す斜視図である。
【符号の説明】
【００２７】
１０  交換用トイレットペーパー
１２  トイレットペーパー本体
１４  パッケージ
１６  広告配布物
１８  広告収納袋
【図１】
0003138656.tif 000003
【図２】
0003138656.tif 000004
【手続補正書】
【提出日】平成19年11月5日(2007.11.5)
【手続補正１】
【補正対象書類名】実用新案登録請求の範囲
【補正対象項目名】全文
【補正方法】変更
【補正の内容】
【実用新案登録請求の範囲】
【請求項１】
複数個のトイレットペーパー本体を纏めて梱包するパッケージの外側に、広告配布物を収納した広告収納袋を貼り付けたことを特徴とする交換用トイレットペーパー。
【請求項２】
複数個のトイレットペーパー本体を２個ずつ並べ、かつ２列以上に積み重ね、これらを１つのパッケージで包装し、パッケージの側面に広告配布物を収納した広告収納袋を貼り付けたことを特徴とする交換用トイレットペーパー。
【請求項３】
複数個のトイレットペーパー本体を４個ずつ並べ、かつ２列以上に積み重ね、これらを１つのパッケージで包装し、パッケージの側面に広告配布物を収納した広告収納袋を貼り付けたことを特徴とする交換用トイレットペーパー。
【請求項４】
請求項１乃至３のいずれかに記載の交換用トイレットペーパーにおいて、
前記広告収納袋は透明なプラスチックにより密閉可能に構成したものであることを特徴とする交換用トイレットペーパー。
【請求項５】
請求項１乃至４のいずれかに記載の交換用トイレットペーパーにおいて、
前記広告収納袋は部分的に着色したものであることを特徴とする交換用トイレットペーパー。
【手続補正２】
【補正対象書類名】明細書
【補正対象項目名】全文
【補正方法】変更
【補正の内容】
【考案の詳細な説明】
【技術分野】
【０００１】
本考案は、広告配布物を効率よく提供できる交換用トイレットペーパーに関する。
【背景技術】
【０００２】
従来、顧客となってもらう主婦等の渡し先において古新聞古雑誌等と交換させ、住宅、自動車、家電メーカーおよび量販店用の所謂キャンペーン広告活動を行なうための景品として配布されるトイレットペーパー本体に自社名、商品名、注文方式、住所、電話番号等の宣伝広告を印刷する印刷部を設ける。あるいは、トイレットペーパーを梱包するラップに宣伝広告を印刷する印刷部を設ける。広告経費の圧縮削減と、社名商品名の短期間内の告知徹底と、エコロジー運動効果を向上させ、リサイクル社会活動の能率アップを図るキャンペーン広告手段を提供するものがある（特許文献１参照）。
【特許文献１】登録実用新案第３０２８１０３号公報
【考案の開示】
【考案が解決しようとする課題】
【０００３】
既知の従来の技術には、次のような解決すべき課題があった。上記の広告手段は、トイレットペーパー本体やトイレットペーパー本体を梱包するラップに広告配布物を予め印刷を施してあるので、状況に応じて直ちに広告内容を変更したり追加することの自由度が小さい。
本考案は上記の課題を解決するためになされたもので、必要時に必要な広告を自在に行える交換用トイレットペーパーを提供することを目的とする。
【課題を解決するための手段】
【０００４】
以下の構成はそれぞれ上記の課題を解決するための手段である。
〈構成１〉
複数個のトイレットペーパー本体を纏めて梱包するパッケージの外側に、広告配布物を収納した広告収納袋を貼り付けたことを特徴とする交換用トイレットペーパー。
【０００５】
広告配布物を既存のパッケージにも貼り付けることができるので、予めパッケージに広告内容を印刷しておく必要がない。広告料が入るので、通常の交換比率より多いトイレットペーパー本体、例えば、通常２個程度のところ４個程度と多めのトイレットペーパー本体を、被交換物（古新聞、古雑誌、その他の不用品等を含む。）と交換できる。交換比率が高まるので、利用者、すなわち被交換物を出した人から好感触が得られる。被交換物との交換現場あるいはその近辺においても広告収納袋を簡単に貼り付けることができる。広告収納袋には広告印刷物の他に適当な景品も収納することができる。
【０００６】
〈構成２〉
複数個のトイレットペーパー本体を２個ずつ並べ、かつ２列以上に積み重ね、これらを１つのパッケージで包装し、パッケージの側面に広告配布物を収納した広告収納袋を貼り付けたことを特徴とする交換用トイレットペーパー。
【０００７】
広告収納袋の大きさや広告料と交換比率とを考慮すると、４個のトイレットペーパー本体を２個ずつ並べ、かつ２列に積み重ねたものが程好い量と大きさである。
【０００８】
〈構成３〉
複数個のトイレットペーパー本体を４個ずつ並べ、かつ２列以上に積み重ね、これらを１つのパッケージで包装し、パッケージの側面に広告配布物を収納した広告収納袋を貼り付けたことを特徴とする交換用トイレットペーパー。
【０００９】
トイレットペーパー本体を４個ずつ並べ、かつ２列以上に積み重ねた場合は、周囲の４つの側面に広告収納袋を貼り付けることができる。
被交換物の量に応じてトイレットペーパー本体の個数と広告配布物とを臨機応変に対応交換できる。予め所定量の広告配布物を広告収納袋に収納しておくと換算作業が容易である。
【００１０】
〈構成４〉
構成１乃至３のいずれかに記載の交換用トイレットペーパーにおいて、上記広告収納袋は透明なプラスチックにより密閉可能に構成したものであることを特徴とする交換用トイレットペーパー。
【００１１】
広告収納袋が透明であることにより、広告配布物が正しく収納されているかどうかが外部から一目瞭然であり、交換ミスを防止できる。広告収納袋が密閉可能に構成されていることにより、雨ざらしにされるパッケージに貼り付けられても広告配布物を雨や汚れから保護する。
【００１２】
〈構成５〉
構成１乃至４のいずれかに記載の交換用トイレットペーパーにおいて、上記広告収納袋は部分的に着色したものであることを特徴とする交換用トイレットペーパー。
【００１３】
着色した広告収納袋は目立つのでパッケージに貼り付けられているかどうかの確認が容易であり、また良好な広告宣伝効果を奏する。
【考案を実施するための最良の形態】
【００１４】
以下、本考案の実施の形態を実施例毎に詳細に説明する。
【実施例１】
【００１５】
図１は実施例１の交換用トイレットペーパー１０を示す斜視図である。
この交換用トイレットペーパー１０は、図示したように、４個のロール状のトイレットペーパー本体１２を２個ずつ並べ、かつ上方向に２列に積み重ね、これらを１つのパッケージ１４で包装し、パッケージ１４の幅広の側面に広告配布物１６を収納した広告収納袋１８を貼り付けたものである。
【００１６】
広告配布物１６は、広告主より内容に応じた広告料を得て作成されるものである。あるいは、広告主から印刷された広告物の提供を受け、同時に広告料を受取る。この広告料により、古新聞等の被交換物と交換するトイレットペーパー本体の個数を多くできる。例えば、通常１〜２個のところを３〜４個と増やすことができる。交換比率が高まるので、利用者、すなわち被交換物を出した人から好感触が得られる。
【００１７】
４個のトイレットペーパー本体１２を２個ずつ並べ、かつ２列に積み重ねた場合は、周囲に、広告収納袋１８を貼り付けられる面積を備えた２つの幅広の側面ができる。これらの２つの幅広の側面に広告収納袋１８をそれぞれ貼り付けることができる。図には１つの幅広の側面のみを示している。広告収納袋の大きさや広告料と交換比率とを考慮すると、トイレットペーパー本体が４個が程好い個数であり、かつ４個のトイレットペーパー本体を２個ずつ並べ、かつ２列に積み重ねることにより成る側面の大きさが程好い面積である。
【００１８】
広告収納袋１８は透明な周知のプラスチックにより密閉可能に構成されている。広告収納袋１８が透明であることにより、広告配布物１６が正しく収納されているかどうかを外部から容易にチェックできる。また、広告収納袋１８が密閉可能に構成されていることにより、雨ざらしにされるパッケージ１４に貼り付けられても広告配布物１６を雨や汚れから保護できる。
【実施例２】
【００１９】
図２は実施例２の交換用トイレットペーパー２０を示す斜視図であり、図１と同一部分には同一符号を付している。
この交換用トイレットペーパー２０は、図示したように、８個のトイレットペーパー本体を４個ずつ並べ、かつ上方向に２列に積み重ね、これらを１つのパッケージ１４で包装し、パッケージ１４の側面に広告配布物１６を収納した広告収納袋１８を貼り付けたものである。
【００２０】
８個のトイレットペーパー本体１２を４個ずつ並べ、かつ２列に積み重ねた場合は、周囲に、広告収納袋１８を貼り付けられる面積を備えた４つの幅広の側面ができる。これらの４つの幅広の側面に広告収納袋１８をそれぞれ貼り付けることができる。図示しないが、１２個のトイレットペーパー本体１２を４個ずつ並べ、かつ３列に積み重ねた場合も、その４つの幅広な側面にそれぞれ広告収納袋１８を貼り付けることができる。
【００２１】
このように本考案においては、複数個のトイレットペーパー本体１２を２個ずつ、あるいは４個ずつ並べ、これらを上方向に２列以上に積み重ね、さらに、これらを纏めて１つのパッケージ１４により梱包している。パッケージ１４は、プラスチック製の袋あるいはシートからなり、整列された複数個のトイレットペーパー本体１２を形を崩さずに包装する。実施例で示したパッケージ１４は、内部が見える透明材質であるが、本考案では不透明材質のものでも構わない。広告配布物１６として、広告印刷紙だけでなく他に適当な景品を付属してもよい。
【００２２】
広告収納袋１８は、プラスチックにより上部が開口した袋体に構成され、裏面にパッケージ１４に接着可能な接着剤が適当量塗布されている。広告収納袋１８は、トイレットペーパー本体１２の個数に相当する量の広告配布物１６を収納できる大きさとされている。広告収納袋１８は、透明あるいは半透明でもよいが、透明なプラスチックで構成することにより、広告配布物１６が正しく収納されているかどうかが外部から一目瞭然であり、交換ミスを防止できる。
【００２３】
広告収納袋１８は部分的に着色してもよい。着色することにより、広告収納袋１８が目立つようになり、パッケージ１４に貼り付けられているかどうかの確認が容易であり、また広告宣伝効果に役立つ。また、広告収納袋１８は、上部開口部が密閉可能に構成されることにより、屋外で雨ざらしにされるパッケージ１４に貼り付けられても広告配布物１６を雨や汚れから保護する。
【００２４】
交換用トイレットペーパー１０を構成する際に広告主から印刷された広告印刷物の提供を受け、同時に広告料を受取る。この広告印刷物を広告配布物１６としてそのまま使用することにより、低コストで交換用トイレットペーパー１０を構成できる。
【００２５】
交換用トイレットペーパー１０は、現地において古新聞古雑誌等の被交換物と交換される。このとき、広告活動を行なうためのものとして広告配布物を収納した広告収納袋１８を一緒に配布できる。予めパッケージ１４に広告内容を印刷しておく必要がなく広告収納袋１８を貼り付けるだけでよい。広告料が入るので、通常の交換比率より個数の多いトイレットペーパー本体１２を被交換物と交換できる。
【図面の簡単な説明】
【００２６】
【図１】実施例１の交換用トイレットペーパーを示す斜視図である。
【図２】実施例２の交換用トイレットペーパーを示す斜視図である。
【符号の説明】
【００２７】
１０  交換用トイレットペーパー
１２  トイレットペーパー本体
１４  パッケージ
１６  広告配布物
１８  広告収納袋